(57)【要約】      （修正有）【課題】荷物やその他のアイテムを安全かつ確実に保管することができる収納棚に、取付け可能なディスプレイ機構又は照明機構を提供すること。【解決手段】収納棚照明インターフェース１０６に関する。装置１００は、パネル部分１０２と、パネル部分の湾曲が収納棚の外側の湾曲と揃うようにパネル部分を収納棚に連結するように構成されたファスナの組１０４とを含む。各ファスナは、収納棚１１０を通ってパネル部分の背部へと延びてパネル部分を収納棚に連結するように構成されている。パネル部分の湾曲を収納棚の外側の湾曲に揃えることによって、パネル部分が連結されているときに収納棚を開閉できる。装置は照明インターフェースを更に含み、照明インターフェースは、パネル部分と収納棚の外側との間で、パネル部分の開口を通じた照明光と周辺光とを提供できる位置において連結されるように構成されている。【選択図】図１
2020019473.tif 000002
【特許請求の範囲】
【請求項１】
パネル部分（１０２）と、
前記パネル部分（１０２）の湾曲が収納棚（１１０）の外側（１１２）の湾曲と揃うように、前記パネル部分（１０２）を前記収納棚（１１０）の前記外側（１１２）に連結するよう構成された、ファスナの組（１０４）であって、各ファスナが、前記収納棚（１１０）を通って前記パネル部分（１０２）の背部（１１４）へと延びて、前記パネル部分（１０２）を前記収納棚（１１０）の前記外側（１１２）に連結するように構成されており、前記パネル部分（１０２）の前記湾曲を前記収納棚（１１０）の前記外側（１１２）の前記湾曲に揃えることにより、前記パネル部分（１０２）が前記収納棚（１１０）の前記外側（１１２）に連結されているときに前記収納棚（１１０）が開閉できる、ファスナの組（１０４）と、
照明インターフェース（１０６）であって、前記パネル部分（１０２）が前記収納棚（１１０）の前記外側（１１２）に連結されているときに、前記パネル部分（１０２）と前記収納棚（１１０）の前記外側（１１２）との間で、前記パネル部分（１０２）の一又は複数の開口を通じた照明光と前記パネル部分（１０２）を囲む周辺光とを前記照明インターフェース（１０６）が提供できる位置において、前記パネル部分（１０２）の前記背部（１１４）に連結されるように構成されている、照明インターフェース（１０６）と
を含む、装置（１００）。
【請求項２】
前記ファスナの組（１０４）が前記パネル部分（１０２）を前記収納棚（１１０）の前記外側（１１２）に連結している際に前記ファスナの組（１０４）を隠すように、前記収納棚（１１０）の内側に連結されるように構成された、内側棚カバー（１０８）であって、前記収納棚（１１０）の前記内側の湾曲と揃うことができる湾曲を有している、内側棚カバー（１０８）
を更に含む、請求項１に記載の装置（１００）。
【請求項３】
前記ファスナの組（１０４）が前記パネル部分（１０２）を前記収納棚（１１０）の前記外側（１１２）に連結しているときに、前記パネル部分（１０２）の上方部分と前記収納棚（１１０）の前記外側（１１２）との間に間隙（１５４）が存在するよう、前記パネル部分（１０２）の前記背部（１１４）が一又は複数の隆起部分を含む、請求項１又は２に記載の装置（１００）。
【請求項４】
前記照明インターフェース（１０６）が、前記パネル部分（１０２）の前記上方部分と前記収納棚（１１０）の前記外側（１１２）との間の前記間隙（１５４）の近傍で、前記パネル部分（１０２）の前記背部（１１４）に連結される、請求項３に記載の装置（１００）。
【請求項５】
前記パネル部分（１０２）が前記収納棚（１１０）の前記外側（１１２）に連結されているときに、前記照明インターフェース（１０６）の電力線（１３０）が前記収納棚（１１０）の側端の開口を通じて電源へと延びており、前記収納棚（１１０）を開閉する際に前記照明インターフェース（１０６）の前記電力線（１３０）が静止していられるように、前記収納棚（１１０）の前記側端の前記開口は前記収納棚（１１０）の開ヒンジの近傍に位置する、請求項１から４の何れか一項に記載の装置（１００）。
【請求項６】
前記電力線（１３０）が更に、前記収納棚（１１０）の前記外側（１１２）且つ前記収納棚（１１０）の前記開ヒンジの近傍に位置する格納凸部（１３４）を通って延びており、前記格納凸部（１３４）は前記収納棚（１１０）の外で前記電力線（１３０）を揃え且つ隠す、請求項５に記載の装置（１００）。
【請求項７】
前記収納棚（１１０）を開閉する際に前記照明インターフェース（１０６）の前記電力線（１３０）が静止していられるよう、前記パネル部分（１０２）が前記収納棚（１１０）の前記外側（１１２）に連結されているときに、前記照明インターフェース（１０６）の前記電力線（１３０）が、前記パネル部分（１０２）の背後且つ前記収納棚（１１０）の中央開ヒンジの近傍に位置する前記収納棚（１１０）の開口を通じて電源へと延びている、請求項１から４の何れか一項に記載の装置（１００）。
【請求項８】
前記パネル部分（１０２）の延長部が、前記パネル部分（１０２）を前記収納棚（１１０）の前記外側（１１２）に連結している前記ファスナの組（１０４）から閾値ぶん離れた位置にある所与のファスナを用いて、前記収納棚（１１０）の前記外側（１１２）に連結されている、請求項１から７の何れか一項に記載の装置（１００）。
【請求項９】
収納棚（２０４）と、
ファスナの組と、
パネル部分の湾曲が前記収納棚（２０４）の外側の湾曲と揃うように前記ファスナの組によって前記収納棚（２０４）の前記外側に連結された、パネル部分（２０２）であって、各ファスナが、前記パネル部分（２０２）を前記収納棚（２０４）の前記外側に連結するために前記収納棚（２０４）を通って前記パネル部分（２０２）の背部へと延びており、前記パネル部分の前記湾曲を前記収納棚（２０４）の前記外側の前記湾曲と揃えることにより前記収納棚（２０４）が開閉できる、パネル部分（２０２）と、
照明インターフェースであって、前記パネル部分と前記収納棚（２０４）の前記外側との間で、前記パネル部分の一又は複数の開口を通じた照明光と前記パネル部分を囲む周辺光とを前記照明インターフェースが提供できる位置において、前記パネル部分の前記背部に連結されている、照明インターフェースと
を含む、システム（２００）。
【請求項１０】
前記収納棚の隣に位置する第２の収納棚と、
第２のファスナの組と、
前記第２の収納棚の外側に前記第２のファスナの組によって連結された第２のパネル部分と
を更に含み、
前記第２のパネル部分は壁画の第２の部分に対応し、前記パネル部分は前記壁画の第１の部分に対応する、請求項９に記載のシステム（２００）。
【請求項１１】
前記パネル部分を前記収納棚の前記外側に連結している前記ファスナの組を隠すように、前記収納棚の内側に連結された内側棚カバーであって、前記収納棚の前記内側の湾曲と揃う湾曲を有した、内側棚カバー
を更に含む、請求項９又は１０に記載のシステム（２００）。
【請求項１２】
前記パネル部分（２０２）の上方部分と前記収納棚（２０４）の前記外側との間に間隙（２２６）が存在するように、前記パネル部分（２０２）の前記背部（２２４）が一又は複数の隆起部分を含む、請求項９から１１の何れか一項に記載のシステム（２００）。
【請求項１３】
前記照明インターフェースの電力線が前記収納棚の側端の開口を通って電源へと延びており、前記収納棚の前記側端の前記開口は、前記収納棚を開閉しても前記照明インターフェースの前記電力線が静止していられるように、前記収納棚の開ヒンジの近傍に位置している、請求項９から１２の何れか一項に記載のシステム（２００）。
【請求項１４】
前記電力線が更に、前記収納棚の外側かつ前記収納棚の前記開ヒンジの近傍に位置する格納凸部を通って延びており、前記格納凸部は前記収納棚の外で前記電力線を揃え且つ隠す、請求項１３に記載のシステム（２００）。
【請求項１５】
パネル部分の湾曲が収納棚の外側の湾曲と揃うように、ファスナの組を用いて、前記パネル部分を前記収納棚の前記外側に連結すること（４０２）であって、前記前記パネル部分を前記収納棚の前記外側に連結することが、前記収納棚を通って前記パネル部分の背部へと延びて前記パネル部分を前記収納棚の前記外側に連結するように各ファスナを配置することを含み、前記パネル部分の前記湾曲を前記収納棚の前記外側の前記湾曲に揃えることにより、前記パネル部分が前記収納棚の前記外側に連結されているときに前記収納棚が開閉できる、パネル部分を収納棚の外側に連結すること（４０２）と、
前記パネル部分と前記収納棚の前記外側との間で、前記パネル部分の一又は複数の開口を通じた照明光と前記パネル部分を囲む周辺光とを照明インターフェースが提供できる位置において、前記照明インターフェースを前記パネル部分の前記背部に連結すること（４０４）と
を含む、方法（４００）。
【請求項１６】
射出成型工程を用いて、前記収納棚の前記外側の幅に対応する幅を有したパネルを作製すること（４０６）と、
ウォータージェット工程を用いて、前記パネル部分を形成するために前記パネルを改変すること（４０８）と
を更に含む、請求項１５に記載の方法（４００）。
【請求項１７】
前記収納棚を備えて構成された航空機の運航状態に基づいて、前記照明インターフェースの動作を改変すること（４１０）を更に含み、前記照明インターフェースの動作を改変することが、
前記照明インターフェースによって提供される照明の明るさ又は色を調整すること
を含む、請求項１５又は１６に記載の方法（４００）。
【発明の詳細な説明】
【技術分野】
【０００１】
本開示は、広くは、収納棚に取付け可能なディスプレイ又は照明機構に関し、より詳細には、収納棚の照明インターフェースの例に関する。
【背景技術】
【０００２】
収納棚は、アイテム（例えば、荷物）を保持するように構成されたコンパートメントの一種であり、バス、列車、航空機をはじめ様々な輸送ビークルで用いられている。ビークルにおいて収納棚は、ビークルの運行中にアイテムを確実に保管しておく手段として用いられている。例えば航空機では、収納棚が乗客の頭上に位置しており、飛行中に荷物やその他のアイテムを安全かつ確実に保管することができる。
【０００３】
収納棚は通常、ディスプレイや装飾的なものを有さずに作製されている。収納棚はむしろ、保管スペースを最大限にしつつ収納棚をコンパクトに開閉できるよう、湾曲した形状となっていることが多い。こうした収納棚のコンパクトなデザインと湾曲した形状によって、収納棚の可視部分を改変することが困難となり得る。結果として、収納棚の外観を拡張するのに用いる表示機構は、壁にポスターを貼付するのに似て、何らかの接着物を用いた二次元的な装飾を収納棚に施すにとどまることが多い。
【発明の概要】
【０００４】
一例では、装置が記載される。該装置は、パネル部分と、ファスナの組とを含む。ファスナの組は、パネル部分の湾曲が収納棚の外側の湾曲と揃うように、パネル部分を収納棚の外側に連結するように構成されている。各ファスナは、収納棚を通ってパネル部分の背部へと延び、パネル部分を収納棚の外側に連結するように構成されている。パネル部分の湾曲を収納棚の外側の湾曲に揃えることにより、パネル部分が収納棚の外側に連結されているときに収納棚を開閉できる。該装置は、照明インターフェースを更に含む。照明インターフェースは、パネル部分が収納棚の外側に連結されているとき、パネル部分と収納棚の外側との間で、パネル部分の一又は複数の開口を通じた照明光とパネル部分を囲む周辺光とを照明インターフェースが提供できる位置において、パネル部分の背部に連結されるように構成されている。
【０００５】
別の例では、システムが記載される。該システムは、収納棚、一又は複数のファスナ、パネル部分、及び照明インターフェースを含む。パネル部分は、パネル部分の湾曲が収納棚の外側の湾曲と揃うように、一又は複数のファスナを介して収納棚の外側に連結される。各ファスナは、パネル部分を収納棚の外側に連結するために、収納棚を通ってパネル部分の背部へと延びている。パネル部分の湾曲が収納棚の外側の湾曲に揃っていることで収納棚が開閉できる。照明インターフェースは、パネル部分と収納棚の外側との間で、パネル部分の一又は複数の開口を通じた照明光とパネル部分を囲む周辺光とを照明インターフェースが提供できる位置において、パネル部分の背部に連結される。
【０００６】
別の例では、方法が記載される。該方法は、パネル部分の湾曲が収納棚の外側の湾曲と揃うように、ファスナの組を用いてパネル部分を収納棚の外側に連結することを含む。具体的には、パネル部分を収納棚の外側に連結することは、各ファスナが収納棚を通ってパネル部分の背部へ延び、パネル部分を収納棚の外側に連結するよう、各ファスナを配置することを含む。パネル部分の湾曲を収納棚の外側の湾曲に揃えることにより、パネル部分が収納棚の外側に連結されているときに収納棚を開閉できる。該方法は、パネル部分と収納棚の外側との間で、パネル部分の一又は複数の開口を通じた照明光とパネル部分を囲む周辺光とを照明インターフェースが提供できる位置において、照明インターフェースをパネル部分の背部に連結することを更に含む。
【０００７】
上述の特徴、機能及び利点は、様々な実施例において独立に実現することが可能であり、また別の実施形態において組み合わせることも可能である。これらの実施例について、以下の説明および添付図面を参照して更に詳細に説明する。
【０００８】
例示的な実施例の特性と考えられる新規な特徴が、添付の特許請求の範囲に明記されている。しかし、例示的な実施例、好適な使用モード、それらのさらなる目的及び説明は、添付の図面と併せて本開示の例示的な実施例についての以下の詳細な説明を読むことにより最もよく理解されるであろう。
【図面の簡単な説明】
【０００９】
【図１】一実施例による装置の側面図である。
【図２】一実施例による装置の部分の正面図である。
【図３】一実施例による収納棚に連結された装置の正面図及び内側図である。
【図４】一実施例による収納棚に連結された装置の内側の図及び背面図である。
【図５】一実施例によるパネル部分を収納棚の外側に連結するファスナの組を示す。
【図６】一実施例による収納棚に連結された装置の第１図及び第２図である。
【図７】一実施例によるシステムを示す。
【図８】一実施例によるシステムの複数の図である。
【図９】一実施例によるビークル内部に位置する別の装置を示す。
【図１０】一実施例による方法のフロー図を示す。
【図１１】一実施例による図１０に示す方法とともに使用される別の方法を示すフロー図である。
【図１２】一実施例による図１０に示す方法とともに使用される別の方法を示すフロー図である。
【発明を実施するための形態】
【００１０】
これより、添付図面を参照しつつ開示されている実施例についてより網羅的に説明するが、添付図面に示すのは開示されている例の一部であって、全てではない。実際には、幾つかの異なる実施例を説明することがあるが、これらの実施例は、本明細書に明記されている実施例に限定されると解釈すべきではない。これらの実施例はむしろ、この開示内容が包括的且つ完全となり当業者に本開示の範囲が十分に伝わるよう、説明されている。
【００１１】
実施例では、例えば、照明付きブランディング機構として使用できる収納棚照明インターフェースのバリエーションが示されている。例示的な収納棚照明インターフェースは、収納棚の外側に連結されて、収納棚の外観を改変しつつ収納棚を設計通りに操作（即ち、きちんと開閉）することができる。例示的な収納棚照明インターフェースは、特定のデザイン、例えば、収納棚を収容しているビークルに関連したロゴ、宣伝、又は収納棚の美的アピールを強化する目的の他の装飾デザインなどを含み得る。ある例では、収納棚照明インターフェースが、ファスナの組を介して収納棚に連結したり外したりされる着脱可能な機構である。更に、ある例示的な収納棚照明インターフェースは、デザインの諸態様を照明するように構成された複数の照明インターフェースを更に含み得る。
【００１２】
更に説明すると、収納棚照明インターフェースを実装するための例示的な装置は、パネル部分、ファスナの組、及び照明インターフェースを含み得るが、他の構成要素も可能である。パネル部分は、収納棚の外側の外観を拡張又は他の方法で改変するように作製されたデザインを含み得る。例えば、パネル部分は、壁画又は他の形態の装飾的デザインを含み得る。装飾的デザインは、色のパターンを含むか或いは景色（例えば、自然や都会の風景）を表したものであり得るが、他のものでもよい。パネル部分は情報、例えば、収納棚を収容しているビークルを所有する会社のロゴなどを表現してもよい。ある例では、パネル部分が、複数の収納棚にわたり広がるより大きな壁画の部分であってもよい。そのような構成では、各収納棚が壁画の非連続な部分を有し得るので、収納棚を設計どおりに開閉することができつつ、すべての収納棚を閉じたときに壁画の別々の部分が該壁画を形成できる。
【００１３】
例示的な装置又はシステムのパネル部分のデザインと全体的な外観は、パネル部分がどのように作製されるかに依存し得る。ある例では、パネル部分が射出成型工程を用いて作製され得る。射出成型は、溶融した材料を型に注入して部品を作る製造工程である。パネル部分の形成には様々な溶融材料が用いられ得る。例えば、金属、ガラス、エラストマ、コンフェクション（ｃｏｎｆｅｃｔｉｏｎｓ）、並びに熱可塑性及び熱硬化性ポリマーなどである。ある例では、パネル部分の作製に用いる材料が収納棚のタイプや、収納棚が配置されるビークルのタイプに依存し得る。例えば、航空機の収納棚を拡張するために熱可塑性又はポリマーが用いられ、収納棚照明付きブランディング機構を軽量にしておくことができる。
【００１４】
例示的な実施例では、射出成型工程が、収納棚の外側の幅に対応した幅をパネルが有するように、パネルを作製することを含み得る。この幅によりパネル部分が収納棚の外側全体にわたって広がることができる。そして、パネルを更に改変して、成形工程（例えば、ウォータージェット加工）によってパネル部分に特定のデザインを形成することができる。パネルは、ロゴ、街の風景、グラフィックデザインなどのデザインをなすように切断或いは成形することができる。別の例では、パネル部分が収納棚の外側の一部分のみにフィットするより小さなサイズで作製され得る。そのような例では、パネルをはじめにより小さいサイズで作製し、その後パネルを収納棚照明付きブランディング機構用に成形することで、材料の使用量を減らすことができる。
【００１５】
装置のパネル部分を作製した後、ファスナの組を用いてパネル部分を収納棚に連結し得る。例えば、マシンねじの組を用いてパネル部分を収納棚の外側に対して配置及び固定できる。したがって、ファスナの量、タイプ、及び構成は実施例によって異なり得る。例えば、ある例ではマシンねじが用いられ、マシンねじは収納棚の内部から収納棚の外側を通ってパネルの背部へと延びパネル部分を収納棚に確実に連結し得る。パネル部分に対するファスナの位置は、パネル部分のデザインに依存し得る。例えば、より大きなデザインのパネル部分には追加のファスナが必要であるか、或いはパネル部分を収納棚に確実に連結するようファスナが離間され得る。別の例では、ファスナの組が単一のファスナを構成し得る。
【００１６】
ある例では、パネル部分を収納棚の外側に連結する際、ファスナが収納棚を通ってパネル部分の背部へと延びるので、収納棚の外側に連結されたパネル部分を見る乗客からファスナの存在を隠すことができる。結果として、パネル部分に含まれる装飾的特徴部の美的アピールを損なうことなく、ファスナがパネル部分を収納棚に確実に連結できる。
【００１７】
更に、ファスナは余分な空間を有した連結孔に連結され得る。この余分な空間によって、パネル部分を収納棚の外側に連結しつつ調整を行うことができる。例えば、パネル部分を収納棚に揃える方向に、パネル部分を変位することができる。結果として、装置からの干渉なく収納棚の開閉ができる位置で、パネル部分を収納棚に連結することができる。
【００１８】
パネル部分は、収納棚の外側の湾曲に合致した湾曲を有し得る。そのような構成で、ファスナの組は、パネル部分の湾曲が収納棚の外側に揃うように、パネル部分を収納棚の外側に連結することができる。収納棚の外側の湾曲に揃った湾曲を有するようにパネル部分を作製することで、パネル部分を収納棚に連結しつつも収納棚を意図した通りに操作（即ち、干渉なく開閉）することが可能となる。他の例で、パネル部分は、パネル部分が収納棚の外側に連結され且つそこから外へ延伸できるような平坦なデザインを有し得る。
【００１９】
パネル部分が収納棚に連結されるとパネル部分と収納棚の外側との間に一又は複数の間隙が存在するように、パネル部分の裏側は、一又は複数の隆起部分を含み得る。照明インターフェースからの周辺光がパネル部分の上方部分を見やすくハイライトできるよう、間隙は例えばパネル部分の上方部分に形成され得る。隆起部分はまた、パネル部分が三次元（３Ｄ）の外観を有するように見せることができ、デザインの外観を拡張できる。
【００２０】
例示的な装置は、一又は複数の照明インターフェースを更に含み得る。一又は複数の照明インターフェースは、パネル部分と収納棚の外側との間でパネル部分の背部に連結され得る。この位置で、照明インターフェースは、パネル部分の任意の開口を通じた照明光とパネル部分を囲む周辺光とを提供することができる。照明インターフェースは、様々なタイプの光、例えば発光ダイオード（ＬＥＤ）を含み得る。更に、ある例では、別々の位置に配置され得る複数の照明インターフェースを含んでもよい。
【００２１】
照明インターフェースからの照明を用いて、パネル部分の諸態様の外観を拡張できる。例えば、照明インターフェースからの照明によりパネル部分のロゴやその他の部分に注意を惹き付けることができる。更に、照明インターフェースが提供する色相がパネル部分の美的アピールに寄与し得る。例えば、照明インターフェースが色付きの照明を提供し、パネル部分のデザインを拡張し得る。
【００２２】
照明インターフェースは電源に接続された電力線を通じて給電され得る。電源は、他のライトに給電するように構成されたビークル電源であり得る。ある実施例では、電力線が、収納棚の側端にある開口を通って電源へと延び得る。具体的には、収納棚が開閉されても照明インターフェースの電力線が静止していられるよう、収納棚の側端の開口が収納棚の開ヒンジ近傍に位置し得る。例えば、開口は、収納棚の開ヒンジから１０〜１００ｍｍの範囲に位置し得る。更なる例では、電力線が、収納棚の外に且つ収納棚の開ヒンジの近傍に位置する格納凸部を通って更に延び得る。例えば、格納凸部が、収納棚の開ヒンジから数ミリメートル（例えば、１０〜１００ｍｍ）以内の位置を有し得る。他の例では、格納凸部が収納棚の開ヒンジからの別の範囲内の位置を有し得る。格納凸部は、収納棚の外で電力線を揃え隠しておくことができる。これにより、乗客が電力線に触れてしまったり電力線がパネル部分の美的外観を損ねたりすることを防ぐことができる。
【００２３】
照明インターフェースの電力線は、収納棚の開口を通って電源まで延び得る。パネル部分が収納棚の外側に連結されているとき、開口は、パネル部分の背後且つ収納棚の中央開ヒンジの近傍に位置する。例えば、開口は、収納棚の中央開ヒンジから１０〜１００ミリメートル以内の位置を有し得る。他の例では、開口が、収納棚の中央開ヒンジから別の範囲内の位置を有し得る。この構成で、照明インターフェースの電力線は、収納棚を開閉する際に静止していることができ且つ乗客の目に入らずに済む。
【００２４】
例示的な装置は、収納棚の内側に連結されるように構成された内側棚カバーを更に含むことで、ファスナの組がパネル部分を収納棚の外側に連結している際に、内側棚カバーがファスナの組を隠すことができる。ある例では、内側棚カバーが、収納棚の内側の湾曲と揃うことのできる湾曲を有している。収納棚の内側と揃うことで、内側棚がファスナを隠しつつ、収納棚の内部で占める空間を最小限に抑えることができる。
【００２５】
図面を参照する。図１は、一実施例による装置１００の側面図である。装置１００は、収納棚照明インターフェースの例示的な構成を表している。図１に示すように、装置１００は、パネル部分１０２、ファスナの組１０４、照明インターフェース１０６、及び内側棚カバー１０８を含む。更に、図１は収納棚１１０も示しており、装置１００がファスナの組１０４を用いて収納棚１１０の外側１１２に連結され得る例示的な方式を示している。収納棚照明付きブランディング機構のその他の実装では、より多いかより少ない構成要素が別の構成で含まれ得る。更なる構成を下記に記載する。
【００２６】
パネル部分１０２は、収納棚１１０の外側１１２の外観を拡張するか概ね改変するように構成された、装置１００の構成要素を表している。具体的には、パネル部分１０２には隆起した装飾的な街の風景が描かれて示されているが、実施例により他のデザインを表していてもよい。例えば、他の例では、パネル部分１０２に、会社の情報やロゴ、例えば、収納棚１１０を装備する航空機の所有者であるエアラインのロゴが含まれていてもよい。
【００２７】
パネル部分１０２は、複数の収納棚にわたって広がるより大きな装飾的な特徴部（例えば、壁画）の別個の部分をなしていてもよい。そのような構成では、一連の収納棚の各収納棚が収納棚照明付きブランディング機構を有し、それらがより大きな装飾的な特徴部を構成し得る。更に、ある実施例では、パネル部分１０２が、収納棚１１０を収容しているビークルの他の部分に配置されたデザインを含むより大きなデザインの一部分を表し得る。例えば、航空機の収納棚に配置された収納棚照明付きブランディング機構が、航空機の他の部分、例えば天井や内部側に配置された特徴部を組み込んだデザインの一部であり得る。
【００２８】
パネル部分１０２の作製、使用材料、及び構成は実施例によって異なり得る。例えば、パネル部分１０２の作成は、使用材料、パネル部分１０２のサイズやデザイン、及びパネル部分１０２の他の態様に依存し得る。ある例では、パネル部分１０２が、収納棚１１０を収容しているビークルのタイプに基づいた材料を用いて作製される。例えば、装置１００が航空機内部の収納棚１１０に連結される場合、より軽量の材料（例えば、プラスチック）がパネル部分１０２に用いられ得る。
【００２９】
パネル部分１０２は、射出成型工程を用いて材料（例えば、プラスチック）で作製され得る。上述のように、射出成型工程は、溶融した材料を型に注入して部品を作る製造工程である。射出成型工程は、収納棚１１０の外側１１２の湾曲に合致する湾曲をパネルに付与するために用いられ得る。その後パネルがパネル部分１０２へと構成（例えば、切削）され得る。  パネル部分１０２の作製にはその他の工程が用いられてもよい。例えば、３Ｄ付加製造を用いてパネル部分１０２を作製してもよい。
【００３０】
作製工程は、パネル部分１０２を構成するプラスチックに細部を形成していくためのウォータージェット工程も含み得る。ウォータージェット工程によって原型の一部を除去してパネル部分１０２に開口を作成するとともに、成型したパネルを所望のパネル部分１０２デザインへと成形し得る。例えば、ウォータージェット工程を用いて、図１に示すパネル部分１０２の街の風景におけるビルの輪郭を形作ることができる。その他の作製工程を用いてもよい。例えば、３Ｄ印刷技術を用いてパネル部分１０２を設計及び成形してもよい。
【００３１】
ファスナの組１０４は、パネル部分１０２を収納棚の外側１１０に連結するのに用いられ得る機械的構造物を表す。図１に示す例示的な装置１００で、ファスナの組１０４はマシンねじとして示されている。他の例は、他のタイプのファスナや、様々なファスナの組み合わせを含み得る。更に、他の例では、パネル部分１０２を収納棚１１０の外側１１２に連結できる他の材料が用いられ得る。例えば、パネル部分１０２の収納棚１１０への連結に接着剤を用いてもよい。
【００３２】
ファスナ１０４の量はパネル部分１０２のサイズや構成に依存し得る。例えば、図１に示す街の風景は、幾つかの部分（例えば、高層ビル）を含む。そのような部分は、一又は複数のファスナ１０４をそれら部分に対応する位置に分布させることで収納棚１１０の外側により確実に連結できる。更に、より重い材料でパネル部分１０２を作成する際には、より多くのファスナ１０４が用いられ得る。
【００３３】
パネル部分１０２を収納棚１１０の外側１１２に連結する際、ファスナの組１０４は、収納棚１１０及び／又はパネル部分１０２に位置する連結孔を用い得る。例えば、連結孔は、パネル部分１０２を収納棚１１０に連結する際にファスナの組１０４がパネル部分１０２の重量を均等に分散できるよう、パネル部分１０２又は収納棚１１０の様々な部分に位置し得る。更に、連結孔及びファスナの組１０４によって、収納棚１１０の開閉時や収納棚１１０を収容しているビークルの運航中、パネル部分１０２を収納棚１１０の外側１１２へ確実に固定できる。
【００３４】
照明インターフェース１０６は、装置１００の照明機構を表している。照明機構は、照明を提供してパネル部分１０２の可視性及び外観を拡張することができる。ある例では、照明インターフェース１０６が、パネル部分１０２と収納棚１１０の外側１１２との間で、パネル部分１０２の背部１１４に連結されるように構成されている。例えば、照明インターフェース１０６は、パネル部分１０２が収納棚１１０の外側１１２に連結されると照明インターフェース１０６がパネル部分１０２の一又は複数の開口を通じて照明を提供し、且つパネル部分１０２を囲む周辺光を提供できる位置で、パネル部分１０２の背部１１４に連結され得る。周辺光は、パネル部分１０２の外観を拡張するバックグラウンド照明として機能し得る。
【００３５】
パネル部分１０２の形状や寸法、意図した外観、又はそれら双方に応じて、照明インターフェース１０６がパネル部分１０２に対して、上述したものに加えた或いはこれとは異なる他の位置を有していてもよい。例えば、照明インターフェースが、パネル部分１０２の上方部分と収納棚１１０の外側１１２との間の間隙の近傍で、パネル部分１０２の背部１１４に連結されてもよい。パネル部分１０２の部分が収納棚１１０の外側１１２に連結されなければ間隙が形成され得る。したがって、間隙のサイズの範囲は例えば１０ミリメートルから数センチメートルであり得る。間隙は例示的な実施形態において様々なサイズを有し得る。
【００３６】
照明インターフェース１０６のタイプや構成は実施例において異なり得る。照明インターフェース１０６は、一又は複数の発光ダイオード（ＬＥＤ）からなる。例えば、照明インターフェース１０６が、パネル部分１０２の背部１１４にわたって延びるＬＥＤの帯であり得る。ＬＥＤ帯は、照明インターフェース１０６が様々な色で照明を提供できるよう、種々の色を含み得る。照明インターフェース１０６は、パネル部分１０２の各部分を種々の色で照明し得る。照明インターフェース１０６は、電力をビークルのためにとっておくか或いは他の理由で低電力消費であるように構成され得る。
【００３７】
更に、照明インターフェース１０６は、電源（図１に示さず）に連結された電力線から電力を受けることができる。例えば、照明インターフェース１０６は、収納棚１１０を収容しているビークルの他のライトに給電するビークル電源から、電力を受けることができる。別の例では、電力線が、照明インターフェース１０６を、他の収納棚のパネル部分の照明に関連する他の照明インターフェースに連結し得ることで、すべての照明インターフェースが同じ電源から給電され得る。
【００３８】
照明インターフェース１０６は種々の色で照明を提供できる。したがって、照明インターフェース１０６は、収納棚１１０を収容しているビークルを所有する事業者の色で、照明を提供できる。例えば、照明インターフェース１０６が、収納棚１１０を収容する航空機を所有しているエアラインの色で、照明を提供できる。更に、照明インターフェース１０６は、パネル部分１０２の種々の部分を別々の色を用いて照明し得る。照明インターフェース１０６が種々の色をパターンで変化させるよう、色をプログラムしてもよい。
【００３９】
更に、照明インターフェース１０６は種々のパターンで照明を提供できる。例えば、照明インターフェース１０６はあるパターンでゆっくりと明滅してもよい。照明インターフェース１０６はまた、収納棚１１０を収容しているビークルの運航に基づいて照明を調整し得る。例えば、照明インターフェース１０６がフライトの様々な期間中に動作を調整し得る。照明インターフェースは離着陸や飛行中に色や明るさを変化させ得る。ある例では、照明インターフェース１０６が１日の時間帯に応じてオフとなったり色を変化させたりしてもよい。更なる例では、照明インターフェース１０６の動作をユーザ、例えば収納棚１１０を収容する航空機の操縦士やバスの運転手などが制御してもよい。
【００４０】
装置１００は、収納棚１１０の内側１１３に連結するように構成された内側棚カバー１０８を更に含むことが図示されている。具体的には、ファスナ１０４がパネル部分１０２を収納棚１１０の外側１１２に連結している際、内側棚カバー１０８がファスナの組１０４を隠すことができる。内側棚カバー１０８は、収納棚１１０の内側の見た目を改善でき、ファスナ１０４の頂部によりアイテムが損傷を受けることも防止できる。
【００４１】
図１に示すように、内側棚カバー１０８は、収納棚１１０の内側１１３の湾曲と揃うことのできる湾曲を有している。内側棚カバー１０８は、内側棚カバー１０８と収納棚１１０の内側１１３との間の余分な空間を減らすよう合致する湾曲を有し得る。収納棚１１０の内側１１３と揃えることで、内側棚カバー１０８がファスナの組１０４を隠しつつ、収納棚１１０内の収納空間への影響を最小限とすることができる。実施例において、内側棚カバー１０８は様々な材料、例えば、薄い層に構成できる軽量な材料で作製され得る。
【００４２】
装置１００は、ビークル内に配置され得る収納棚の例示的な構成を示す収納棚１１０を有して図示されている。例えば、収納棚１１０は航空機内の位置を有し、例えば、航空機内で客席の上方に位置する収納棚の列の一部であり得る。別の例では、収納棚１１０が別のタイプのビークル、例えば商用のバスや列車内部に位置し得る。収納棚１１０は、収納棚１１０の開閉を可能にするハンドル１１５を有して図示されている。
【００４３】
図示のように、収納棚１１０の外側１１２は、収納棚１１０内の収納空間の増大を促す湾曲を有し得る。結果として、パネル部分１０２は、収納棚１１０が確実に開閉できるよう、収納棚１１０の外側１１２の湾曲に合致し対応する湾曲を有するように設計され得る。他の例では、収納棚１１０が他の構成を有し得る。例えば、別の例では収納棚１１０の外側が平坦であり得る。
【００４４】
収納棚１１０の構成は実施例によって異なり得る。ある例では、収納棚１１０の外側１１２が、収納棚１１０の底部に位置するヒンジによって、外側１１２の上部が下方に来るように開き得る。したがって、装置１００が、収納棚１１０の下方へのオープン動作に適応したデザインであり得る。他の例では、収納棚１１０の外側１１２が上方に動くことで開けられてもよい。したがって、パネル部分１０２及び装置１００のデザインは概ね、収納棚１１０の外側１１２の上方への動作に適応した構成を有し得る。例えば、パネル部分１０２は、収納棚１１０のドアがビークルの屋根に干渉することなく上方に開くことを可能にする装飾的な薄い層であってもよい。
【００４５】
図２は、一実施例による装置１００の正面図である。具体的には、装置１００のパネル部分１０２が示されており、延長部１２０及び基部１２４が複数のクローズアップ図で更に詳細に表示されている。更に、図２は、パネル部分の湾曲１０２が収納棚１１０の外側１１２の湾曲に揃うように収納棚１１０の外側１１２に連結されたパネル部分１０２も示す。
【００４６】
上述のように、図１及び２に示す例示的なパネル部分１０２は、街の風景を表すデザインとなっている。具体的には、街の風景が、パネル部分１０２の基部１２１からカットアウト状に延びるビル群で構成されている。カットアウトによりビル群を、各ビルがパネル部分１０２の基部１２１から立体的に延びているかのように見せることができる。例えば、延長部１２０が、パネル部分１０２の基部１２１から街の風景内の他のビルの高さを超えて延びる高層ビルを表している。したがって、延長部１２０は、ファスナの組１０４のファスナを受容し連結するための連結孔１２２を有して示されている。連結孔１２２は、延長部１２０を収納棚１１０の外側１１２に固く連結することを保証するために含まれ得る。例えば、パネル部分１０２の延長部１２０は、収納棚１１０の外側１１２に、パネル部分１０２を収納棚１１０の外側１１２に連結するファスナの組１０４から閾値（例えば、１０センチメートル以上）離れた位置にある所与のファスナを用いて、連結され得る。そのような閾値の距離は実施例に応じて異なり得る。
【００４７】
基部１２４は、パネル部分が収納棚１１０の外側に連結されるときに収納棚１１０の湾曲と揃うように構成された、パネル部分１０２の湾曲した部分の一部を表している。したがって、基部１２４は、収納棚１１０の開閉を許容する湾曲を有している。基部１２４は、ファスナの組１０４のファスナと共に用いる連結孔１２６も含む。他の例では、パネル部分１０２が、収納棚１１０の外側１１２とその他の方法で揃う湾曲を有した構成を有し得る。
【００４８】
図３は、例示的実施形態による収納棚１１０に連結された装置１００の正面図１２８及び内側図１２９を示す。正面図１２８は、収納棚１１０の外側１１２に連結されたパネル部分１０２を示しており、照明インターフェース１０６がパネル部分１０２と収納棚１１０の外側１１２との間に位置している。図示のため、照明インターフェース１０６は、パネル部分１０２と収納棚１１０との間に占め得る例示的な位置を表す点線で示されている。その他の例示的な実施形態では照明インターフェース１０６が他の位置にあり得る。
【００４９】
図３に示すように、照明インターフェース１０６はパネル部分１０２の背部１１４に延びる帯として図示されている。照明インターフェース１０６は更に電力線１３０に接続されており、電力線１３０は照明インターフェース１０６を電源に接続している。図３に示す正面図１２８で、電力線１３０は、収納棚１１０の丸みを帯びた端部の後ろ部分に位置する、乗客からは見えない側方出口１３２（例えば、開口）を通って延びるように示されている。例えば、電力線１３０は、収納棚１１０の開ヒンジの近傍に位置する側方出口１３２を通って延び得る。電力線１３０を収納棚の側部を通って出し、格納凸部１３４を通してもよい。
【００５０】
格納凸部１３４は、収納棚１１０の開閉中に電力線１３０を隠し固定しておくことができる。例えば、格納凸部１３４を収納棚１１０の側部に沿って配置することで、収納棚１１０の開閉を許容するヒンジ近傍に電力線１３０を確実に配置しておくことができる。例えば、格納凸部は、ヒンジから１０〜１００ミリメートル以内の位置を有し得る。ある例では、格納凸部１３４が収納棚１１０のヒンジに組み込まれていてもよい。格納凸部１３４は、収納棚１１０から出し入れする際に荷物その他のアイテムが電力線１３０に干渉し得ることを防止できる。図３には示していないが、電力線１３０が格納凸部１３４から更に延び、照明インターフェース１０６を電源に連結していてもよい。
【００５１】
図３に示す内側図１２９は、収納棚１１０に連結された装置１００の別の図を示す。具体的には、内側図１２９は、収納棚１１０の内部からの図を示す。例示的な位置にある照明インターフェース１０６も含む。内側図１２９で、電力線１３０は、照明インターフェース１０６との接続部から延びるよう示されている。接続部は、側方出口１３２の近傍に位置し、更に格納凸部１３４を通るように位置する。例えば、照明インターフェース１０６は、側方出口１３２に重なるか或いは側方出口１３２から数ミリメートル（例えば、１０〜１００ｍｍ）の位置を有し得る。上述のように、小型の格納凸部１３４によって、収納棚１１０の側部に沿って、パネル部分１０２を見る際に目に入らない位置に電力線１３０を隠し固定することができる。
【００５２】
他の例では、電力線１３０を隠し且つ保護するため、電力線１３０が収納棚１１０の別の部分に沿って位置していてもよい。例として、別の実施例では照明インターフェース１０６を装置１００のパネル部分１０２に組み込む。したがって、パネル部分１０２に組み込まれたチャネル内に電力線１３０を配置してもよく、延長部１２０の側部を通って出し収納棚１１０の側部に沿って電源に接続させてもよい。
【００５３】
図４は、例示的実施形態による収納棚１１０に連結された装置１００の内側図１３６及び下方図１３８を示す。図３と同様、図４は、電力線１３０を保護し且つ隠すべく電力線１３０が取り得る位置を示している。具体的には、内側図１３６が、収納棚１１０の底部スロット１４０（即ち、裏出口）を通って延びる電力線１３０を示す。収納棚１１０の裏は乗客には見えないであろうため、電力線１３０は乗客の視線を受けずに底部スロット１４０を通り収納棚１１０の裏を通って出てもよい。図４に示すように、底部スロット１４０は、延長部１２０の基部１２１が収納棚１１０の外側１１２と揃う部分の近位に位置する。
【００５４】
更に、下方図１３８は、パネル部分１０２の基部１２１の近位に位置する底部スロット１４０を通って延びる電力線１３０の別の図を示している。電力線１３０は、底部スロット１４０を通って延び電源に接続され得る。ある例では、電力線１３０が収納棚１１０のヒンジに入ってこれを通り延びていてもよい。そのような構成では、電力線１３０が続いて収納棚１１０の内側を通り電源に接続され得る。
【００５５】
図５は、例示的実施形態によるパネル部分１０２を収納棚１１０の外側１１２に連結するファスナの組１０４を示す。ファスナの組１０４は、収納棚の内側１１０からパネル部分１０２の背部１１４へ延びて示されている。
【００５６】
更に、図５は、セクション１４２及びセクション１４４を更に含む。各セクションは、装置１００の部分拡大図であり、ファスナの組１０４を用いたパネル部分１０２の収納棚１１０の外側１１２への連結の更なる詳細を示している。他の例では、別のタイプのファスナや連結材が用いられてよい。例えば、別の例では磁気連結材を用いてパネル部分１０２を収納棚１１０に連結し得る。
【００５７】
ファスナの組１０４が収納棚の内側１１０からパネル部分１０２の背部１１４へと延びていることが示されている。そのような構成では、ファスナの組１０４が収納棚１１０のドアを通ってパネル部分１０２へと延び、パネル部分１０２を収納棚１１０の外側１１２に固定するよう配置され得る。収納棚１１０の内側から延びることで、各ファスナの一部のみがパネル部分１０２へと延びているので、パネル部分１０２を見る際も各ファスナは目に入らない。更に、上述のように、ある例示的な実施形態では更に内側棚カバー１０８が用いられて、収納棚１１０の内側が目に入ったとしてもファスナの組１０４が隠される。
【００５８】
ファスナ１０４の使用を更に説明すると、セクション１４２は、収納棚１１０に連結された装置１００の部分に接近した図である。具体的には、セクション１４２は、収納棚１１０を通って連結孔１４６を介して収納棚１１０を通ってパネル部分の背部１０２へと延びるファスナ１０４を示す。連結孔１４６はファスナ１０４の位置を案内し維持するよう機能し得る。
【００５９】
図５に示す例で、連結孔１４６は埋込まれたインサートであり、パネル部分１０２を収納棚１１０の外側１１２に連結する際に、ファスナ１０４を収納棚１１０を通って案内し固定することを助けることができる。連結孔１４６は更に、ファスナ１０４の直径より大きい直径を有するよう示されている。連結孔１４６の直径に余分な空間があることで、パネル部分１０２を収納棚１１０の外側１１２に連結し揃える際にパネル部分１０２の位置の微調整が可能となる。結果として、連結孔１４６によって許容される余分な空間によって、パネル部分１０２が所望に応じて収納棚１１０の外側１１２に確実にフィットすることができる。
【００６０】
セクション１４２と同様、セクション１４４も、収納棚１１０に連結された装置１００の別の部分の接近図を示す。セクション１４４は、連結孔１５０を介して収納棚１１０を通ってパネル部分１０２の背部１１４へと延びるファスナ１０４を示す。セクション１４２に示す連連結孔１４６と同様、連結孔１５０は埋め込まれたインサートであってよく、位置揃えのためにパネル部分１０２の位置調整を許容する内径を含む。
【００６１】
セクション１４４で更に示すように、パネル部分１０２の背部１１４は一又は複数の隆起部分を含み得るので、パネル部分１０２の上方部分と収納棚の外側１１０との間に間隙１５４が存在する。ある例では、間隙１５４が、パネル部分１０２の外観を様々な方法で拡張することを助け得る。例えば、照明インターフェース１０６が、間隙１５４を含むエリアに照明を提供することで、パネル部分１０２の一部が周辺光で拡張され得る。更に、間隙１５４は、パネル部分１０２の一部を収納棚１１０の外側１１２から立体的に延びているように見せることができる。
【００６２】
図６は、本書に記載の例による収納棚１１０に連結された装置１００の第１図１６０及び第２図１６２を示す。具体的には、第１図１６０は、収納棚の内側の図を示す。パネル部分１０２はファスナの組１０４を介し内側棚カバー１０８なしで収納棚の外側１１０に連結されている。一方、第２図１６２は、ファスナの組１０４を覆う内側棚カバー１０８を更に示す。収納棚１１０の内側を覗いてもファスナの組１０４は目に入らない。
【００６３】
図６に示すように、第１図１６０は収納棚１１０の内側を示す。具体的には、収納棚１１０の内側のパネル部分１０２が連結されている箇所を示すために、収納棚１１０の外側１１２の上方部分を下方に角度付けして示している。ファスナの組１０４は、収納棚１１０の内側にわたり延びる構成に配置されて示されている。第１図１６０は、底部スロット１４０を通って延びる電力線１３０を更に含む。電力線１３０は、底部スロット１４０を通って延び電源に接続され得る。
【００６４】
第２図１６２は、内側棚カバー１０８を加えた収納棚１１０の内側を更に示す。内側棚カバー１０８がファスナの組１０４を隠しているのが示されている。他の例では、内側棚カバー１０８が別の構成であってもよい。
【００６５】
図７は、例示的実施形態によるシステム２００を示す。システム２００は、別の例示的な収納棚照明付きブランディング機構を示し、ハンドル２０８を備えるよう構成された収納棚２０４に連結されたパネル部分２０２を含む。システム２００は、例えば、一又は複数の照明インターフェース、電力線及びファスナなど図７には示していない構成要素を更に含んでもよい。
【００６６】
システム２００のパネル部分２０２は、収納棚２０４の外観（例えば、収納棚２０４の底部２０６）を改変するために、システム２００を使用しているエンティティに関連し得る「ＬＯＧＯ」を表したテキスト２１２を含み得る。例えば、テキスト２１２が、収納棚２０４を備えて構成されたビークルの所有者が伝えたい情報を表していてもよい。ある例では、テキスト２１２がシンボル、宣伝、又は他の情報を表し得る。更なる例では、パネル部分２０２が可変のインターフェースを含み得る。具体的には、インターフェースが、コンピュータ装置のグラフィカルユーザーインターフェースと同様に様々なビジュアルに変化できる。
【００６７】
接近図２１０に示すように、テキスト２１２はパネル部分２０２にわたって延びてよい。他の例では、テキスト２１２がより大きなデザインの一部であるか、或いはパネル部分２０２において別の手法で構成されてもよい。更に、テキスト２１２はパネル部分２０２に刻まれていてもよく、パネル部分２０２の上に施される材料に相当していてもよい。ある例では、テキスト２１２が透明か半透明の材料であり、システム２００の照明インターフェースの光でテキスト２１２を照明できる。
【００６８】
図８は、パネル部分２０２の複数の図である。具体的には、これら複数の図は、パネル部分２０２の背面図２１４、パネル部分２０２の上面図２１６、パネル部分２０２の第１の切欠き図２１８、及びパネル部分２０２の第２の切欠き図２２０を含む。図８に示す複数の図は、システム２００のパネル部分２０２の諸態様を更に示すためである。他の例では、パネル部分２０２が他の構成を有していてもよい。
【００６９】
背面図２１４は、パネル部分２０２の背部２２４を示す。図示のように、テキスト２１２はパネル部分２０２のインデント部分として作成され得る。例えば、テキスト２１２は開口を含み、システム２００の一又は複数の照明インターフェースからの光が開口を照明することができる。更に、テキスト２１２は透明又は透過性の材料を含んでもよく、テキスト２１２の外観を照明によって拡張することもできる。
【００７０】
上面図２１６は、システム２００の収納棚２０４に接続されたパネル部分２０２を示す。図示のように、パネル部分２０２は、パネル部分２０２を収納棚２０４の外側にフィットさせて揃えることができる湾曲を有し得る。
【００７１】
第１の切欠き図２１８は、パネル部分２０２の一部を示す。具体的には、この部分は、パネル部分２０２の背部２２４の隆起部分を示す。隆起部分によって、パネル部分２０２を収納棚２０４に接続するときに間隙（例えば、間隙２２６）が形成され得る。第１の切欠き図２１８と同様、第２の切欠き図２２０も、パネル部分２０２の別の視点からの部分を示し、パネル部分２０２の背部２２４の隆起部分を含む。隆起部は間隙２２６を形成する。
【００７２】
図９は、一実施例によるビークル内の更なる装置を示す。装置３０２は、ビークル３００の部分内の収納棚に位置する収納棚照明付きブランディング機構の別の例を表している。図９に示すように、装置３０２のデザインは収納棚３０４の外側の頂部まで延びている。
【００７３】
例示的なビークル３００は、一又は複数の収納棚３０４を含み得る任意のタイプのビークルを表し得る。例えば、ビークル３００は、航空機、バス、列車、又は他のタイプのビークルに相当し得る。図示のように、ビークル３００は、座席３０６の上方に位置する２つの収納棚３０４に連結された装置３０２を含む。ビークル３００は、窓３０８、及び光・空調器３１０を更に含む。図９では収納棚３０４が座席３０６の上方に示されているが、他の例では収納棚がビークル３００内の他の位置に配置され得る。
【００７４】
図１０は、一実施例による方法のフロー図を示す。図１０に示す方法４００は、例えば図１−６に示す装置１００、図７−８に示すシステム２００、及び／又は図９に示す装置３００とともに使用されうる方法の実施形態を示す。他の実施例では、装置及び／又はシステムの構成要素が、例えば特定の方法で操作されたときに、その機能の実行に適合するように構成されるか、実行が可能であるように構成されるか、実行が適切であるように構成され得る。
【００７５】
方法４００は、ブロック４０２から４０４の一又は複数で示されているように、一又は複数の動作、機能、又はアクションを含んでもよい。ブロックは順番に示されているが、これらのブロックが並行して実行されてもよく、且つ／又は本書に記載の順序とは異なる順序で実行されてもよい。更に、様々なブロックを組み合わせてブロックの数を減らしたり、分割してブロックを追加したり、所望の実装に基づいて取り除いたりしてもよい。
【００７６】
ブロック４０２で、方法４００は、パネル部分の湾曲が収納棚の外側の湾曲に揃うように、パネル部分を収納棚の外側にファスナを用いて連結することを含む。パネル部分を収納棚の外側に連結することは、各ファスナが収納棚を通ってパネル部分の背部へと延びてパネル部分を収納棚の外側に連結するように各ファスナを配置することを含み得る。ファスナの配置はパネル部分のデザインに依存し得る。例えば、ファスナは、パネル部分のうちパネル部分の基部から離れて延びる部分を収納棚の外側に確実に連結するのに用いられ得る。更に、パネル部分の湾曲を収納棚の外側の湾曲に揃えることで、パネル部分が収納棚の外側に連結されているとき収納棚を開閉できる。
【００７７】
ブロック４０４で、方法４００は、パネル部分と収納棚の外側との間で、パネル部分の一又は複数の開口を通じた照明光とパネル部分を囲む周辺光とを照明インターフェースが提供できる位置において、照明インターフェースをパネル部分の背部に連結することを含む。
【００７８】
ある例では、照明インターフェースが、パネル部分が収納棚に連結されるとパネル部分の背部と収納棚の外側との間に形成される一又は複数の間隙の近位に、位置し得る。具体的には、パネル部分の背部は、隆起部分、又はパネル部分の背部が収納棚の外側に取り付けられると間隙を形成させるその他の物理的な設計を含み得る。したがって、照明インターフェースは一又は複数の間隙の近位に位置し、間隙を埋め且つパネル部分の諸態様を照明する周辺光が形成されるように、照明を提供し得る。
【００７９】
図１１は、例示的な実施形態による方法４００と併用される例示的な方法のフロー図を示す。ブロック４０６で、機能は、射出成型工程を用いて、収納棚の外側の幅に対応する幅を有したパネルを作成することを含む。例えば、パネルはプラスチック材料であり、収納棚の外側の一部サイズに合致するサイズで作成され得る。
【００８０】
ブロック４０８で、ウォータージェット工程を用いてパネルを改変してパネル部分を形成することを含む。ウォータージェット工程は、高圧ジェット水や水の混合物と研磨材料を用いて多種多様な材料を切削できる工具を用いるものである。ウォータージェット工程はパネルにデザインを彫り込んだり切り込んだりすることができる。
【００８１】
図１２は、例示的な実施形態による方法４００と併用される例示的な方法のフロー図を示す。ブロック４１０で、機能は、収納棚を備えて構成されたビークルの運航状態に基づいて、照明インターフェースの動作を改変することを含む。照明インターフェースの動作を改変することは、照明インターフェースが提供する照明の明るさや色を調整することを含む。例えば、照明インターフェースの動作を改変することは、収納棚を収容しているビークルの運航に依存し得る。例として、照明インターフェースが、ビークルが移動しているときに第１の動作モードで作動し、ビークルが静止しているときに第２の動作モードで作動し得る。
【００８２】
更に、本開示は以下の条項による例を含む。
条項１．
パネル部分と、パネル部分の湾曲が収納棚の外側の湾曲と揃うように、パネル部分を収納棚の外側に連結するよう構成された、ファスナの組であって、各ファスナが、収納棚を通ってパネル部分の背部へと延びて、パネル部分を収納棚の外側に連結するように構成されており、パネル部分の湾曲を収納棚の外側の湾曲に揃えることにより、パネル部分が収納棚の外側に連結されているときに収納棚が開閉できる、ファスナの組と、照明インターフェースであって、パネル部分が収納棚の外側に連結されているときに、パネル部分と収納棚の外側との間で、パネル部分の一又は複数の開口を通じた照明光とパネル部分を囲む周辺光とを照明インターフェースが提供できる位置において、パネル部分の背部に連結されるように構成されている、照明インターフェースと、を含む装置。
条項２
ファスナの組がパネル部分を収納棚の外側に連結している際にファスナの組を隠すように、収納棚の内側に連結されるように構成された内側棚カバーであって、収納棚の内側の湾曲と揃うことができる湾曲を有している、内側棚カバーを更に含む、条項１に記載の装置。
条項３．
ファスナの組がパネル部分を収納棚の外側に連結しているときに、パネル部分の上方部分と収納棚の外側との間に間隙が存在するよう、パネル部分の背部が一又は複数の隆起部分を含む、条項１又は２に記載の装置。
条項４．
照明インターフェースが、パネル部分の上方部分と収納棚の外側との間の間隙の近傍で、パネル部分の背部に連結されている、条項３に記載の装置。
条項５．
パネル部分が収納棚の外側に連結されているときに、照明インターフェースの電力線が収納棚の側端の開口を通じて電源へと延びており、収納棚を開閉する際に照明インターフェースの電力線が静止していられるように、収納棚の側端の開口は収納棚の開ヒンジの近傍に位置する、条項１から４の何れか一項に記載の装置。
条項６．
電力線が更に、収納棚の外側且つ収納棚の開ヒンジの近傍に位置する格納凸部を通じて延びており、格納凸部は収納棚の外で電力線を揃え且つ隠す、条項５に記載の装置。
条項７．
収納棚を開閉する際に照明インターフェースの電力線が静止していられるよう、パネル部分が収納棚の外側に連結されているときに、照明インターフェースの電力線が、パネル部分の背後且つ収納棚の中央開ヒンジの近傍に位置する収納棚の開口を通じて電源へと延びている、条項１から４の何れか一項に記載の装置。
条項８．
照明インターフェースが、パネル部分の一又は複数の開口を通じた照明光、及びパネル部分を囲む周辺光を、一又は複数の色或いは一又は複数のパターンで提供するように構成されている、条項１から７の何れか一項に記載の装置。
条項９．
パネル部分の湾曲の量が、収納棚の湾曲の量に依存する、条項１から８の何れか一項に記載の装置。
条項１０．
パネル部分の延長部が収納棚の外側に確実に連結されるよう、パネル部分の延長部が、パネル部分を収納棚の外側に連結しているファスナの組から閾値ぶん離れた位置にある所与のファスナを用いて、収納棚の外側に連結される、条項１から９の何れか一項に記載の装置。
条項１１．
収納棚と、一又は複数のファスナと、パネル部分の湾曲が収納棚の外側の湾曲と揃うように該一又は複数のファスナによって収納棚の外側に連結されたパネル部分であって、各ファスナが、パネル部分を収納棚の外側に連結するために収納棚を通ってパネル部分の背部へと延びており、パネル部分の湾曲を収納棚の外側の湾曲に揃えることによって収納棚が開閉できる、パネル部分と、照明インターフェースであって、パネル部分と収納棚の外側との間で、照明インターフェースがパネル部分の一又は複数の開口を通じた照明光、及びパネル部分を囲む周辺光を提供できる位置において、パネル部分の背部に連結されている、照明インターフェースと、を含むシステム。
条項１２．
収納棚の隣に位置する第２の収納棚と、第２のファスナの組と、第２の収納棚の外側に第２のファスナの組によって連結された第２のパネル部分とを更に含み、第２のパネル部分は壁画の第２の部分に対応し、パネル部分は壁画の第１の部分に対応する、条項１１に記載のシステム。
条項１３．
パネル部分を収納棚の外側に連結している一又は複数のファスナを隠すように、収納棚の内側に連結された内側棚カバーであって、収納棚の内側の湾曲と揃う湾曲を有した内側棚カバーを更に含む、条項１２に記載のシステム。
条項１４．
パネル部分の上方部分と収納棚の外側との間に間隙が存在するように、パネル部分の背部が一又は複数の隆起部分を含む、条項１１から１３の何れか一項に記載のシステム。
条項１５．
照明インターフェースの電力線が収納棚の側端の開口を通って電源へと延びており、収納棚の側端の開口は、収納棚を開閉しても照明インターフェースの電力線が静止していられるように、収納棚の開ヒンジの近傍に位置している、条項１１から１４の何れか一項に記載のシステム。
条項１６．
電力線が更に、収納棚の外側かつ収納棚の開ヒンジの近傍に位置する格納凸部を通って延びており、格納凸部は収納棚の外で電力線を揃え隠す、条項１５に記載のシステム。
条項１７．
照明インターフェースは、パネル部分の一又は複数の開口を通じた照明光とパネル部分を囲む周辺光とを、一又は複数の色、及び一又は複数のパターンで提供するように構成されている、条項１１から１４の何れか一項に記載のシステム。
条項１８．
パネル部分の湾曲が収納棚の外側の湾曲と揃うように、ファスナの組を用いて、パネル部分を収納棚の外側に連結することであって、パネル部分を収納棚の外側に連結することが、収納棚を通ってパネル部分の背部へと延びてパネル部分を収納棚の外側に連結するように各ファスナを配置することを含み、パネル部分の湾曲を収納棚の外側の湾曲に揃えることで、パネル部分が収納棚の外側に連結されているときに収納棚が開閉できる、パネル部分を収納棚の外側に連結することと、パネル部分と収納棚の外側との間で、パネル部分の一又は複数の開口とパネル部分を囲む周辺光とを照明インターフェースが提供できる位置において、照明インターフェースをパネル部分の背部に連結することと、を含む、方法。
条項１９．
射出成型工程を用いて、収納棚の外側の幅に対応する幅を有したパネルを作製することと、ウォータージェット工程を用いてパネルを改変してパネル部分を形成することとを更に含む、条項１８に記載の方法。
条項２０．
収納棚を備えて構成された航空機の運航状態に基づいて、照明インターフェースの動作を改変することを更に含み、照明インターフェースの動作を改変することが、照明インターフェースによって提供される照明の明るさ又は色を調整することを含む、条項１８又は１９に記載の方法。
【００８３】
本書で使用されている「実質的に（ｓｕｂｓｔａｎｔｉａｌｌｙ）」又は「約（ａｂｏｕｔ）」の語は、記載されている特性、パラメータ、又は値が厳密に実現される必要はないが、特性によって得られることになっている影響を無効にしない量の、許容誤差、測定エラー、測定精度限界、及び、当業者には既知のその他の要因などを含む偏差又は変動が発生しうることを、意味している。
【００８４】
種々の有利な構成の説明は、例示及び説明を目的として提示されているものであり、網羅的であること、または開示された形態の実施例に限定されることを意図するものではない。当業者には、多くの修正例及び変形例が明らかであろう。更に、種々の有利な実施例は、他の有利な実施例と比べて異なる利点を説明し得る。選択された単数または複数の実施例が選択され記載されているのは、実施例の原理と実際的な用途を最もよく説明するため、且つ様々な実施例の開示内容と、検討される特定の用途に適した様々な修正例とが当業者に理解され得るようにするためである。
【図１】
2020019473.tif 000003
【図２】
2020019473.tif 000004
【図３】
2020019473.tif 000005
【図４】
2020019473.tif 000006
【図５】
2020019473.tif 000007
【図６】
2020019473.tif 000008
【図７】
2020019473.tif 000009
【図８】
2020019473.tif 000010
【図９】
2020019473.tif 000011
【図１０】
2020019473.tif 000012
【図１１】
2020019473.tif 000013
【図１２】
2020019473.tif 000014
【外国語明細書】
2020019473000001.pdf
2020019473000002.pdf
2020019473000003.pdf
2020019473000004.pdf